(57)【要約】      （修正有）【課題】ゲーベルトップ型液体用容器に、液体を充填するロータリー充填機の充填部における、泡立ちや液はねによるシール不良を改善する液体用紙容器充填部キャリアを提供する。【解決手段】ゲーベルトップ型液体用容器１に液体２を充填するロータリー式充填機の充填部において、液体を充填する直前にキャリアを開いて紙容器の押さえを解き、充填終了後シール部への搬送前にキャリアを再び閉じることを特徴とする液体用紙容器充填部キャリアである。【選択図】図１
2016097998.tif 000002
【特許請求の範囲】
【請求項１】
ゲーベルトップ型液体用容器に液体を充填するロータリー式充填機の充填部において、液体を充填する直前にキャリアを開いて紙容器の押さえを解き、充填終了後シール部への搬送前にキャリアを再び閉じることを特徴とする液体用紙容器充填部キャリア。
【発明の詳細な説明】
【技術分野】
【０００１】
本発明は、ロータリー式充填機を用いて液体用紙容器に液体内容物を充填する、充填部キャリアに関するものである。
【背景技術】
【０００２】
食品や非食品の液体の内容物に使用される液体用紙容器は、牛乳をはじめとして果汁飲料、ジュース、お茶、コーヒー、乳飲料、スープ等の液体飲料、あるいは日本酒、焼酎等の酒類などに広く用いられている。液体用紙容器はその利便性と経済性から広く用いられ、さまざまな商品の包装容器として普及している。液体飲料や食品以外にもパーマ液などの容器として用いられている。
【０００３】
液体用紙容器のうち、１リットル入りの牛乳のカートンに代表される、所謂ゲーベルトップ型の液体紙容器への充填は、液体用紙容器の組み立てと充填、密封を連続して行なうロータリー式充填機の充填部において行なわれる。
【０００４】
実際の充填の工程においては、ロータリー式充填機が高速で回転する中、液体用紙容器に充填される液体内容物が泡立っている場合や液がはねる場合などがあって、充填の直後にはシール工程があって、泡やはねた液体がシール部に付着するようなことがあればシール不良に直結する問題があった。
【０００５】
特許文献に挙げた特開２００２−２６４９１３においては、カートンの大きさが変わった場合にホルダーと呼ばれるキャリアの大きさが可変である考案が示されているが、直接に泡や液はねによるシール不良の改善を目的としているものではなかった。
【０００６】
そのため、ロータリー式充填機の充填部における泡立ちや液はねによるシール不良の改善が求められてきた。
【先行技術文献】
【特許文献】
【０００７】
【特許文献１】特開２００２−２６４９１３号公報
【発明の概要】
【発明が解決しようとする課題】
【０００８】
かかる状況に鑑みて、本発明はゲーベルトップ型液体用容器に液体を充填するロータリー充填機の充填部における泡立ちや液はねによるシール不良を改善することのできる、液体用紙容器充填部キャリアを実現しようとするものである。
【課題を解決するための手段】
【０００９】
上記の課題を解決するための手段として、請求項１に記載の発明は、ゲーベルトップ型液体用容器に液体を充填するロータリー式充填機の充填部において、液体を充填する直前にキャリアを開いて紙容器の押さえを解き、充填終了後シール部への搬送前にキャリアを再び閉じることを特徴とする液体用紙容器充填部キャリアである。
【発明の効果】
【００１０】
本発明によれば、ゲーベルトップ型液体用容器に液体を充填するロータリー充填機の充填部における泡立ちや液はねによるシール不良を改善することのできる、液体用紙容器充填部キャリアを実現することができる。
【００１１】
また充填後には再びアームを閉じて液体用紙容器を押さえつけて搬送するため、他の工程の妨げになることのない液体用紙容器充填部キャリアを実現することができる。
【図面の簡単な説明】
【００１２】
【図１】図１は本発明に係る、液体用紙容器への充填前、充填時、充填後の液面の状態を示す断面模式図である。
【図２】図２は本は杖見に係る、液体用紙容器への充填前、充填時、充填後の液体用紙容器充填部キャリアの状態を上から見た平面模式図である。
【発明を実施するための形態】
【００１３】
以下本発明を実施するための形態について、図１および図２を参照しながら詳細に説明を加える。
【００１４】
図１は本発明に係る、液体用紙容器への充填前、充填時、充填後の泡および液面の状態を示す断面模式図である。充填前の液体用紙容器（１）は充填前は直方体が直立した状態に保持され、充填のために上部が開放された状態である。上部内側には、充填後密封のためのトップシール予定部（８）がある。
【００１５】
本発明においては、液体（２）を充填する直前にキャリアを開いて紙容器の押さえを解くことが特徴のひとつであるから、充填時に於いては充填される液体（２）の重みによって液体用紙容器はふくらみが生じ、液面（４）は泡（３）の部分を上にして上昇して充填が完了し、キャリアが閉じて液体用紙容器（１）を押さえている場合に比べて泡（３）の部分および液面（４）は下がった状態で充填が完了する。
【００１６】
充填後はシール部への搬送前にキャリアを再び閉じることによって、液体用紙容器（１）は膨らみ部分が押さえ込まれて直方体の形に戻る。同時に泡（３）の部分および液面（４）もふくらみが矯正された分上昇する。
【００１７】
図２は本発明に係る、液体用紙容器への充填前、充填時、充填後の液体用紙容器充填部キャリアの状態を上から見た平面模式図である。
【００１８】
液体用紙容器充填部キャリア（１０）は液体用紙容器（１）を３方から囲むように作られ、４方目には脱落防止のためのシャッター（６）が設けられている。図２において液体用紙容器（１）は破線で示されており、口栓（５）が設けられている。
【００１９】
充填中はキャリアが開き液体用紙容器（１）はアーム（７）が開いて開放状態となる。そのため充填される液体（２）の重みによって液体用紙容器（１）にはふくらみが生じ、液面（４）は泡（３）の部分を上にして上昇して充填が完了し、キャリアのアーム（７）が閉じて液体用紙容器（１）を押さえている場合に比べて泡（３）の部分および液面（４）は下がった状態で充填が完了する。
【００２０】
アームの開閉はキャリアに取り付けたエアーシリンダーによって行なうことも可能であり、また別置きエアーシリンダーによってカム機構を働かせて開閉を行なうのでもよい。
【００２１】
泡（３）の部分および液面（４）が下がった状態で充填されるため、泡や液はねによって液体が容器上部内側のトップシール予定部（８）へ付着するリスクを軽減することができる。
【００２２】
充填後は再びアーム（７）が閉じて液体用紙容器（１）を押さえ込み、液体用紙容器（
１）は直方体に戻る。直方体に戻った後、キャリアは次工程であるシール部へと送られ、液体用紙容器は密封される。
【００２３】
アームが閉じて、液体用紙容器が押さえ込まれた状態で搬送されることによって、次工程であるシール工程においてトップシール部の仮折位置やシール前の炙りは安定し、シール部の位置ずれの発生も回避することができる。
【００２４】
このように、本発明によれば、充填時にキャリアのアームを広げ、液体用紙容器を開放した状態で充填することにより、泡および液面位置を下げた状態で充填することができることにより、ゲーベルトップ型液体用容器に液体を充填するロータリー充填機の充填部における泡立ちや液はねによるシール不良を改善することができる。
【００２５】
また充填後には再びアームを閉じて液体用紙容器を押さえつけて搬送するため、他の工程の妨げになることなくシール不良を改善することのできる、液体用紙容器充填部キャリアを実現することができる。
【符号の説明】
【００２６】
１・・・液体用紙容器
２・・・液体
３・・・泡
４・・・液面
５・・・口栓
６・・・シャッター
７・・・アーム
８・・・トップシール予定部
１０・・・液体用紙容器充填部キャリア
【図１】
2016097998.tif 000003
【図２】
2016097998.tif 000004